(57)【特許請求の範囲】
【請求項１】
タンク本体と、タンク本体の適所に設けた給油口と、給油口の外周に形成したネジ部への螺合によって前記給油口を閉塞する給油キャップと、この給油キャップを覆うように設けその外径を持ちやすい径に大きくした給油キャップ回動手段を備え、前記給油キャップを傾かせた状態で給油口のネジ部に取り付けようとしたとき、すべって給油キャップと給油口のネジ部が螺合できないように給油キャップのネジ部内面入口部に、そのネジピッチのほぼ同等かそれ以上の長さでそのネジのほぼ谷径から緩やかに広がるテーパ部を有したカートリッジタンク。
【請求項２】
給油口は、前記給油キャップを傾かせた状態で給油口のネジ部に取り付けようとしたとき、給油キャップと給油口のネジ部が螺合できないように給油口のネジ部の先端に、そのネジのほぼ谷径でそのネジピッチのほぼ同等かそれ以上の長さのストレート部分を有した請求項１記載のカートリッジタンク。
【請求項３】
給油キャップと給油キャップ回動手段との間に或いは給油キャップ回動手段の一部に空間を設け、給油キャップを上にしたときに給油キャップからたれてくる燃料を縁切りする構成としてなる請求項１または２記載のカートリッジタンク。
【請求項４】
給油キャップと給油キャップ回動手段との間に或いは給油キャップ回動手段の一部に空間を設けるとともに、その空間下部にバイパス通路を設け、給油キャップを上にしたときに給油キャップからたれてくる燃料を給油キャップと給油キャップ回動手段との間を通過させる構成としてなる請求項１または２記載のカートリッジタンク。
【請求項５】
給油キャップ回動手段は、給油キャップを傾斜させた状態で取り付けたとき、給油キャップ回動手段がタンク本体面に接触するような外径とした請求項１または２記載のカートリッジタンク。
【請求項６】
給油キャップ回動手段は、タンク本体面と対向する側の外周に凸部を有する構成とした請求項１または２記載のカートリッジタンク。
【発明の詳細な説明】
【０００１】
【発明の属する技術分野】
本発明はタンク本体に弁を有するキャップを着脱自在にしたカートリッジタンクに関するものである。
【０００２】
【従来の技術】
従来のこの種のカートリッジタンクは、図９、図１０、図１１、図１２に示すように、タンク本体１の適所に燃料を供給する給油口２を設け、この給油口２に弁機構３を有するキャップ４を取り付け、給油口２の端面２ａをキャップ４に設けたシール面３ｃでシールすることにより、前記弁機構３を介して給油口２の開放状態と閉塞状態を保つように構成としている。そして、機器５のタンク収納スペース６にセットするときは、給油口２を下向きにして油受け皿７に載置することで、油受け皿７内に設けた弁押上ピン８により弁体３ｂが押し上げられ、弁機構３が強制的に開放されてタンク本体１内の燃料が油受け皿７に供給され、油受け皿７内の油面が弁機構３の吐出口９に達するとタンク本体１からの燃料の供給が停止する。そして、油受け皿７内の燃料が消費され油面が低下すると、再度タンク本体１からの燃料の供給が開始される。この繰り返しによりタンク本体１から油受け皿７への燃料の供給が行われる。
【０００３】
次に、タンク本体１の燃料が消費され補給が必要となった場合は、機器５からタンク本体１を取り出すことで、弁押上ピン８が弁機構３から離れ、弁機構３は内蔵バネ３ａにより弁体３ｂを吐出口９に密着させることで閉塞状態となりタンク本体１からの燃料の流出を防止する。この状態でタンク本体１を反転させ、キャップ４を上向きにしてキャップ４をゆるめ、給油口２から取り外す。そして、給油口２から燃料を補給したのち、キャップ４を給油口２に取り付け、再度機器５に逆転装着することで、油受け皿７への供給が開始されるものである。
【０００４】
【発明が解決しようとする課題】
しかしながら、従来の構成においては、給油キャップ４と給油口２は薄板の板金製でできて、ネジ部が丸ネジで構成されており、そのネジの巻きはじめ・巻き終わりは円筒形状から徐々に絞り込んでいるため、図１２に示すようにその先端部分はネジ山が低く、そのネジ山が低い部分と次のネジ山とネジピッチが１ピッチずれて斜めに締め付けやすく、さらにそのネジ山が低い部分と次の次のネジ山とネジピッチが数ピッチずらして斜めに締め付けることが可能である。
【０００５】
この給油キャップ４を給油口２に傾斜してむりやり締め付けたような場合に締め付け不完全な状態となり、給油キャップ外れや油漏れの原因となり、この給油口２に給油キャップ４を取り付ける際に給油キャップ４の締め付け状態が悪いとタンク本体１を逆転して給油キャップ４を下向きにしたときに、給油キャップ４が外れてしまったり、給油口２の端面２ａと給油キャップ４のシール面３ｃのシール不完全による燃料漏れが発生したりして、タンク本体１内の燃料が一度に流出するというトラブルや機器５側の油受け皿７から燃料がオーバーフローしてしまうという問題を有するものであり、例えば石油ストーブ等は室内に開放された状態で燃焼が行われるため、上記のような現象が発生すると極めて不安全な状態を招く危険がある。
【０００６】
そこで、石油ストーブなど室内で燃焼させる石油燃焼器などにおいては、灯油流出による不安全状態を未然に防止する方法として、カートリッジタンクを取り出したときに石油燃焼器を自動的に消火させる方法を採用するのが一般的である。しかし、消火した直後の石油燃焼器は極めて高温の状態にあり、給油キャップ外れのトラブルが発生して消火後の石油燃焼器に灯油がかかれば、再着火して燃焼を開始することがあり、この給油時に消火するという方法も完全な対策とはいえないものであった。
【０００７】
本発明は上記問題点に鑑みてなしたもので、給油口へのキャップの傾斜締め付けを防止して、誰が補給作業をしても正常にキャップの締め付けが行えるようにするとともに、キャップへの油の付着を極力抑え、キャップの着脱を容易に行えるようにすることを目的とするものである。
【０００８】
【課題を解決するための手段】
本発明は上記課題を解決するため、タンク本体と、タンク本体の適所に設けた給油口と、給油口の外周に形成したネジ部への螺合によって前記給油口を閉塞する給油キャップと、この給油キャップを覆うように設けその外径を持ちやすい径に大きくした給油キャップ回動手段を備え、前記給油キャップを傾かせた状態で給油口のネジ部に取り付けようとしたとき、すべって給油キャップと給油口のネジ部が螺合できないように給油キャップのネジ部内面入口部に、そのネジピッチのほぼ同等かそれ以上の長さでそのネジのほぼ谷径から緩やかに広がるテーパ部を有した構成としてある。
【０００９】
上記発明によれば、給油口および給油キャップを大きくするとシール面が増えるため、漏れやすくなるが、給油キャップ回動手段で給油キャップを覆うように設けその外径を持ちやすい径に大きくしてあるので、漏れに関係なく、使用者が持ちやすく、取り付け取り外しが容易となる。
【００１０】
さらに給油キャップのネジ部内面入口部にそのネジピッチのほぼ同等かそれ以上の長さでそのネジのほぼ谷径から緩やかに広がるテーパ部を有しているので、給油口のネジ部に給油キャップを１ピッチずれて斜めに締め付けようとしても、給油キャップのネジ部内面入口部のテーパ部と次のネジ山との接触となり、このテーパ部ですべってしまい斜めに締め付けることができないようになり、さらにネジピッチが数ピッチずらして締め付けようとしても同様にテーパ部ですべってしまい斜めに締め付けることができないようになる。
【００１１】
そしてまた、給油キャップのネジ部内面入口部の緩やかに広がるテーパ部は、給油口のネジ部に給油キャップを締め付ける際に、ガイドの役目を果たし、給油口のネジ部に給油キャップを真っ直ぐ入れやすくなり、締め付け易くなり、給油キャップがむりやり給油口に斜めに取り付けられるという事態を回避することができ、確実に給油キャップの締め付け状態を閉塞位置以上に確保することができ、給油キャップの締め付け不足を解消し、給油キャップの外れやシール不完全による液漏れを防止して、一度にタンク本体の液体が流出するというトラブルや油受け皿側でオーバーフローを起こすというトラブルをなくすことができる。
【００１２】
【発明の実施の形態】
本発明の請求項１のカートリッジタンクは、タンク本体と、タンク本体の適所に設けた給油口と、給油口の外周に形成したネジ部への螺合によって前記給油口を閉塞する給油キャップと、この給油キャップを覆うように設けその外径を持ちやすい径に大きくした給油キャップ回動手段を備え、前記給油キャップを傾かせた状態で給油口のネジ部に取り付けようとしたとき、すべって給油キャップと給油口のネジ部が螺合できないように給油キャップのネジ部内面入口部に、そのネジピッチのほぼ同等かそれ以上の長さでそのネジのほぼ谷径から緩やかに広がるテーパ部を有した構成としてある。
【００１３】
そして、給油口および給油キャップを大きくするとシール面が増えるため、漏れやすくなるが、給油キャップ回動手段で給油キャップを覆うように設けその外径を持ちやすい径に大きくしてあるので、漏れに関係なく、使用者が持ちやすく、取り付け取り外しが容易となる。
【００１４】
さらに給油キャップのネジ部内面入口部にそのネジピッチのほぼ同等かそれ以上の長さでそのネジのほぼ谷径から緩やかに広がるテーパ部を有しているので、給油口のネジ部に給油キャップを１ピッチずれて斜めに締め付けようとしても、給油キャップのネジ部内面入口部のテーパ部と次のネジ山との接触となり、このテーパ部ですべってしまい斜めに締め付けることができないようになり、さらにネジピッチが数ピッチずらして締め付けようとしても同様にテーパ部ですべってしまい斜めに締め付けることができないようになる。
【００１５】
そしてまた、給油キャップのネジ部内面入口部の緩やかに広がるテーパ部は、給油口のネジ部に給油キャップを締め付ける際に、ガイドの役目を果たし、給油口のネジ部に給油キャップを真っ直ぐ入れやすくなり、締め付け易くなり、給油キャップがむりやり給油口に斜めに取り付けられるという事態を回避することができ、確実に給油キャップの締め付け状態を閉塞位置以上に確保することができ、給油キャップの締め付け不足を解消し、給油キャップの外れやシール不完全による液漏れを防止して、一度にタンク本体の液体が流出するというトラブルや油受け皿側でオーバーフローを起こすというトラブルをなくすことができる。
【００１６】
また、請求項２のカートリッジタンクは、給油口は、前記給油キャップを傾かせた状態で給油口のネジ部に取り付けようとしたとき、給油キャップと給油口のネジ部が螺合できないように給油口のネジ部の先端に、そのネジのほぼ谷径でそのネジピッチのほぼ同等かそれ以上の長さのストレート部分を有した構成としてある。
【００１７】
そして、請求項１と同様の効果が得られ、給油口のネジ部の先端のストレート部分を有しているので、そのストレート部分がガイドとなり給油口のネジ部に給油キャップを１ピッチずらして斜めに傾けて締め付けられなくなる。また、給油口のネジ部の先端のストレート部分は、給油口のネジ部に給油キャップを締め付ける際に、ガイドの役目を果たし、請求項１と同様に給油口のネジ部に給油キャップを真っ直ぐ入れやすくなり、締め付け易くなり、給油キャップがむりやり給油口に斜めに取り付けられるという事態を回避することができ、確実に給油キャップの締め付け状態を閉塞位置以上に確保することができ、給油キャップ締め付け不完全による給油キャップの外れや液漏れを防止して、一度にタンク本体の油が流出するというトラブルや油受け皿側でオーバーフローを起こすというトラブルをなくすことができる。
【００１８】
また、請求項３のカートリッジタンクは、給油キャップと給油キャップ回動手段との間に或いは給油キャップ回動手段の一部に空間を設け、給油キャップを上にしたときに給油キャップからたれてくる燃料を縁切りする構成としてある。
【００１９】
そして、給油キャップと給油キャップ回動手段との間に或いは給油キャップ回動手段の一部に空間を設けてあるので、燃料の油面に近い位置にある給油キャップの面が何らかの理由で濡れ、それが給油の際の給油キャップを上にして使用者が給油キャップを外すあるいは装着するときに、給油キャップからたれて、使用者の手に付着しようとするが、給油キャップ回動手段が縁切りされていて、これを使用者が持って回すので、使用者の手の手の触れる部分は油の付着も極めて少ないものとなり、回すときに油分により手が滑るという状態も軽減でき、作業性が極めて向上するものである。
【００２０】
また、請求項４のカートリッジタンクは、前記給油キャップと給油キャップ回動手段との間に或いは給油キャップ回動手段の一部に空間を設けるとともに、その空間下部にバイパス通路を設け、給油キャップを上にしたときに給油キャップからたれてくる燃料を給油キャップと給油キャップ回動手段との間を通過させる構成としてある。
【００２１】
そして、請求項３の効果に加え、給油キャップからたれくる燃料が多く給油キャップと給油キャップ回動手段との間或いは給油キャップ回動手段の一部に設けた空間からあふれるような場合においても、空間下部に設けたバイパス通路を介して、燃料が抜けていくのでより効果的であり、また、カートリッジタンク単体で給油口を上にして保管された場合においても、何らかのゴミや液体が溜まろうとしても、空間下部に設けたバイパス通路を介して抜けていくようになり、さほど溜まらないようになる。
【００２２】
また、請求項５のカートリッジタンクは、前記給油キャップ回動手段は、給油キャップを傾斜させた状態で取り付けたとき、給油キャップ回動手段がタンク本体面に接触するような外径とした構成としてある。
【００２３】
そして、給油キャップ回動手段の外径を大きくしているため、給油キャップを給油口に傾斜して取り付けたとき、給油キャップ回動手段の下面がタンク本体に接触して、給油キャップと給油口ネジ部が螺合できなく、不適正な装着をより確実に防止できる。
【００２４】
また、請求項６のカートリッジタンクは、前記給油キャップ回動手段は、タンク本体面と対向する側の外周に凸部を有する構成とした請求項１または２記載のカートリッジタンク。
【００２５】
そして、給油キャップ回動手段の下面には凸部を設けているため、給油キャップを給油口に傾斜して取り付けたとき、下面凸部に接触して、給油キャップと給油口ネジ部が螺合できなく、不適正な装着を防止できる。
【００２６】
【実施例】
以下本発明の一実施例について図面に基づき説明する。
【００２７】
（実施例１）
図１は本発明の実施例１のカートリッジタンクの構成図、図２は給油キャップの要部断面図、図３は機器への設置状態を示す要部断面図、図４は給油キャップの締め付け状態を示す要部断面図である。
【００２８】
１１は燃料を蓄えておくタンク本体、１２はタンク本体１の燃料の量を確認するための油量計、１３はタンク本体１へ燃料の補給と流出を行う給油口、１３ａはこの給油口１３の外周部にもうけたネジ部、１４は給油口１３に着脱自在に設けた給油キャップで、給油キャップ１４の内面に設けたネジ部１４ａと給油口１３のネジ部１３ａとが噛み合うようになっていて、給油キャップ１４のネジ部１４ａ内面入口部にそのネジピッチのほぼ同等かそれ以上の長さでそのネジのほぼ谷径から緩やかに広がるテーパ部１４ｂを有している。
【００２９】
１５は給油キャップ１４内に一体化して設け複数個の貫通孔１５ａを有する弁筒で、内部に弁機構１６を設けている。
【００３０】
１７は給油キャップ１４を覆うようにインサート成形等で給油キャップ１４に一体化して設けその外径を持ちやすい径に大きくした給油キャップ回動手段で、給油キャップ回動手段１７の一部に空間を設け、給油キャップ１４を上にしたときに給油キャップ１４からたれてくる燃料を給油キャップ回動手段１７の手に触れる部分と縁切りする空間１８が設けてある。
【００３１】
給油キャップ１４に内装した弁機構１６は、弁体１９と弁座２０およびバネ２１で構成し、給油キャップ１４の吐出口２２の開閉を行う。２３は石油燃焼器のバーナへ燃料を供給するために一時蓄えておくための油受け皿、２４は油受け皿２３の上部開口に取り付けた受け口であり、該受け口２３には弁押し上げピン２５が突起して形成してある。
【００３２】
上記構成において、その動作を説明すると、まず、タンク本体１１を給油キャップ１４を下向きにして油受け皿２３の受け口２４に装着すると、弁押し上げピン２５が弁体１９をバネ２１に抗して押し上げ、弁座２０による給油キャップ１４の吐出口２２の閉塞状態が解除される。これにより、タンク本体１１の燃料は受け口２４を介して油受け皿２３内に供給され、給油キャップ１４の吐出口２２の油面高さまで蓄えられる。そして、バーナで消費され油受け皿２３内の油面が低下すると、吐出口２２よりタンク本体１１内に空気が入り、この空気の置換作用でタンク本体１１の燃料は油受け皿２３内に供給される。この繰り返しにより油受け皿２０内の油面は一定油面を保持する。そして、タンク本体１１内の燃料が吐出口２２の端部まで減少してくると、弁筒１５の外周部に設けた複数の貫通孔１５ａより燃料の供給は継続され、タンク本体１１内の燃料はほとんど使いきることになる。
【００３３】
次に、タンク本体１１の燃料が空になると、タンク本体１１を受け口２４から取り外す。このとき、弁機構１６は弁押し上げピン２５で弁体１９を押し上げていた動作が解除されるため、弁体１９はバネ２１により元の状態に戻り、弁座２０を介して吐出口２２を閉塞状態に保つ。そして、タンク本体１１を給油場所まで運び、給油キャップ１４を取り外してサイフォンポンプなどで給油を行うが、給油キャップ１４の先端は常に油中に位置しているので、油で濡れた給油キャップ１４の着脱時に手が汚れ、非常に嫌われるものである。このため、本発明では取り外しのための給油キャップを外す媒体である給油キャップ回動手段２０を設け、この給油キャップ回動手段２０は給油キャップ１４の弁機構１６から大きく離して形成し、油が給油キャップ１４の表面を拡散しても給油キャップ回動手段２０まで届かないようにして、手の汚れを防止するとともに、給油口１３および給油キャップ１４を大きくするとシール面が増えるため、漏れやすくなるが、給油キャップ回動手段１７で給油キャップ１４を覆うように設けその外径を持ちやすい径に大きくしてあるので、漏れに関係なく、使用者が持ちやすく、取り付け取り外しが容易となる。
【００３４】
また、この給油キャップ回動手段１７は給油キャップ１４を上にしたときに給油キャップ１４からたれてくる燃料を手に触れる部分から縁切りする空間１８が設けてあり、燃料の油面に近い位置にある給油キャップ１４の面が何らかの理由で濡れ、それが給油の際の給油キャップ１４を上にして使用者が給油キャップ１４を外すあるいは装着するときに、給油キャップ１４からたれて、使用者の手に付着しようとするが、給油キャップ回動手段１７が縁切りされていて、これを使用者が持って回すので、使用者の手の触れる部分は油の付着も極めて少ないものとなり、回すときに油分により手が滑るという状態も軽減でき、作業性が極めて向上するものである。
【００３５】
次に、タンク本体１１への給油が完了すると、給油キャップ１４を給油口１３に取り付ける作業を行うが、一般的に燃料保管場所は屋外やベランダなど暗くて、寒い場所が多く、使用者も極力短時間に給油作業を完了させようという心理が働く、このため、給油キャップ１４の取付作業がおろそかになり、中途半端な締め付けで終わってしまうというケースが発生したり、給油キャップ１４を傾斜して給油口１３に取り付け、むりやり締め付けて不完全な閉塞状態で装着するというケースが発生する。また、締め付け作業にはある程度の力を要するため、締め付け強度に個人差が顕著に現れる。つまり、成人男子のように力のある人は比較的強く締める傾向にあるため、締め付け不足による油漏れは発生しにくいが、反対に締めすぎて取り外すときに困難を要する。また、高齢者や婦人のように比較的力のない人が締め付け作業を行うときは、どこまで締めたらよいのかという感覚をつかみづらく、つい締め付け不足気味になり、油漏れにつながるというケースが発生する。
【００３６】
そこで、本発明は、給油キャップ１４のネジ部１４ａ内面入口部にそのネジピッチのほぼ同等かそれ以上の長さでそのネジのほぼ谷径から緩やかに広がるテーパ部１４ｂを有しているので、給油口１３のネジ部１３ａに給油キャップ１４のネジ部１４ａを１ピッチずれて斜めに締め付けようとしても、図４（ａ），（ｂ），（ｃ）に示すように給油キャップ１４のネジ部１４ａ内面入口部のテーパ部１４ｂと次のネジ山との接触となり、このテーパ部１４ｂですべってしまい斜めに締め付けることができないようになり、さらにネジピッチが数ピッチずらして締め付けようとしても同様にテーパ部１４ｂですべってしまい斜めに締め付けることができないようになる。
【００３７】
また、給油キャップ１４のネジ部１４ａ内面入口部の緩やかに広がるテーパ部１４ｂは、給油口１３のネジ部１３ａに給油キャップ１４のネジ部１４ａを締め付ける際に、ガイドの役目を果たし、給油口１３のネジ部１３ａに給油キャップ１４を真っ直ぐ入れやすくなり、締め付け易くなり、給油キャップ１４がむりやり給油口１３に斜めに取り付けられるという事態を回避することができ、給油キャップ１４締め付け不完全による給油キャップ１４の外れや液漏れを防止して、一度にタンク本体１１の油が流出するというトラブルや油受け皿２１側でオーバーフローを起こすというトラブルをなくすことができる。
【００３８】
したがって、給油キャップ１４を給油口１３に取り付けるとき、前記給油キャップ１４のテーパ部１４ｂにより、給油キャップ１４を給油口１３のネジ部１３ａに適正に螺合するように導き、給油キャップ１４が傾斜して取り付けられないようにしているため、確実に給油キャップ１４の閉塞状態を確保でき、誰が補給作業を行っても確実に給油キャップ１４の締め付け状態を閉塞位置以上に確保することができ、給油キャップ１４の締め付け不足を解消し、給油キャップ１４の外れやシール不完全による油漏れを防止して、一度にタンク本体１１の燃料が流出するというトラブルや油受け皿２１側でオーバーフローを起こすというトラブルをなくすことができる。
【００３９】
そしてさらに、給油キャップ１４と給油キャップ回動手段１７との間に空間１８を設けてあるので、燃料の油面に近い位置にある給油キャップ１４の面が何らかの理由で濡れ、それが給油の際の給油口１３を上にして使用者が給油キャップ１４を外すあるいは装着するときに、給油キャップ１４からたれて、使用者の手に付着しようとするが、給油キャップ回動手段が縁切りされていて、これを使用者が持って回すので、使用者の手の手の触れる部分は油の付着も極めて少ないものとなり、回すときに油分により手が滑るという状態も軽減でき、作業性が極めて向上するものである。
【００４０】
つまり、給油作業後、給油キャップ１４を給油口１３に装着するとき、まず給油キャップ１４のテーパ部分１４ｂが給油口１３の開口部に挿入される。そして、前記テーパ部分１４ｂは給油口１３の開口部の規制を受けながら、給油キャップ１４を給油口１３のネジ部１３ａまで導く。これにより、給油キャップ１４は傾斜することなく、適正な状態で給油口１３に装着される。
【００４１】
次に、給油キャップ回動手段１７をもって締め付け方向に回動させることになるが、このとき給油キャップ回動手段１７が給油キャップ１４と縁切りされていて、これを使用者が持って回すので、使用者の手の触れる部分は油の付着も極めて少ないものとなり、回すときに油分により手が滑るという状態も軽減できる。
【００４２】
（実施例２）
図５は本発明の実施例２の給油口の要部断面図、図６（ａ），（ｂ），（ｃ）は給油キャップの締め付け状態を示す要部断面図である。実施例１で述べた部分と同じ部分は同一番号を付記して説明を省略し、異なる部分のみを説明する。
【００４３】
図５において、給油口３１は、前記給油キャップ３２を傾斜させた状態で給油口３１のネジ部３１ａに取り付けたとき、給油キャップ３２と給油口３１のネジ部３１ａが螺合できないように給油口３１のネジ部３１ａの先端にそのネジのほぼ谷径でそのネジピッチのほぼ同等かそれ以上の長さのストレート部分３１ｂを有するとともに、給油キャップ回動手段３３の一部に、空間３４を設けるとともに、その空間下部にバイパス通路３３を設け、給油キャップ３２を上にしたときに給油キャップ３２からたれてくる燃料を給油キャップ回動手段３３の一部に設けた空間３４を介してバイパス通路３５を通過させる構成としてある。
【００４４】
そして、実施例１と同様の効果が得られ、給油口３１のネジ部３１ａの先端のストレート部分３１ｂを有しているので、そのストレート部分３１ｂがガイドとなり給油口３１のネジ部３１ａに給油キャップ３２のネジ部３２ａを１ピッチずらして斜めに傾けて締め付けられなくなる。また、給油口３１のネジ部３１ａの先端のストレート部分３１ｂは、給油口３１のネジ部３１ａに給油キャップ３２のネジ部３２ａを締め付ける際に、ガイドの役目を果たし、実施例１と同様に給油口３１のネジ部３１ａに給油キャップ３２を真っ直ぐ入れやすくなり、締め付け易くなり、給油キャップ３２がむりやり給油口３１に斜めに取り付けられるという事態を回避することができ、給油キャップ３２締め付け不完全による給油キャップ３２の外れや液漏れを防止して、一度にタンク本体１１の油が流出するというトラブルや油受け皿１９側でオーバーフローを起こすというトラブルをなくすことができる。
【００４５】
また、給油キャップ３２からたれてくる燃料が多く給油キャップ回動手段３３の一部に設けた空間３４からあふれるような場合においても、空間３４下部に設けたバイパス通路３５を介して、燃料が抜けていくのでより効果的であり、また、タンク本体１１単体で給油口３２を上にして保管された場合においても、何らかのゴミや液体が溜まろうとしても、空間３４下部に設けたバイパス通路３５を介して抜けていくようになり、さほど溜まらないようになる。
【００４６】
（実施例３）
図７は本発明の実施例３のカートリッジタンクの構成図であり、実施例１と同一部分は同一番号を付与して説明を省略する。
【００４７】
実施例３は給油キャップ回動手段３６の外径を大きくして、給油キャップ１４を給油口１３に傾斜して取り付けたとき、給油キャップ回動手段３６の下面がＡ部でタンク本体１１に接触して、給油キャップ１４と給油口１３のネジ部１３ａが螺合できないようにしたものであり、極めて簡素な構成で不適正な給油キャップ１４の装着を防止するようにしている。
【００４８】
（実施例４）
図８は本発明の実施例４のカートリッジタンクの構成図であり、実施例１と同一部分は同一番号を付与して説明を省略する。
【００４９】
実施例４は給油キャップ回動手段３７の下面外周部に凸部３８を設け、給油キャップ１４を給油口１３に傾斜して取り付けたとき、給油キャップ回動手段３７の下面に設けた凸部３８がＢ部でタンク本体１１に接触して、給油キャップ１４と給油口１３のネジ部１３ａが螺合できないようにしたものであり、極めて簡素な構成で不適正な給油キャップ１４の装着を防止するようにしている。
【００５０】
なお上記実施例は、給油キャップ１４のネジ部１４ａ内面入口部にテーパ部１４ｂを有した構成と、給油キャップ回動手段１７の一部に空間を設けた構成を同時に説明したが、これは個別にしてもよく、給油口３１のネジ部３１ａの先端にストレート部分３１ｂを有した構成と給油キャップ回動手段３３の一部に空間３４を設け、その空間下部にバイパス通路３５を設けた構成を同時に説明したが、これは個別にしてもよく、さらに給油キャップ１４のネジ部１４ａ内面入口部にテーパ部１４ｂを有した構成と給油口３１のネジ部３１ａの先端にストレート部分３１ｂを有した構成を個別に説明したが、これは組み合わせにしてもよく、本発明の目的・効果を達成するものであれば実施例の構成に限られることなくどのように構成してもよいものである。
【００５１】
【発明の効果】
以上のように請求項１のカートリッジタンクによれば、給油口および給油キャップを大きくするとシール面が増えるため、漏れやすくなるが、給油キャップ回動手段で給油キャップを覆うように設けその外径を持ちやすい径に大きくしてあるので、漏れに関係なく、使用者が持ちやすく、取り付け取り外しが容易となる。
【００５２】
さらに給油キャップのネジ部内面入口部にそのネジピッチのほぼ同等かそれ以上の長さでそのネジのほぼ谷径から緩やかに広がるテーパ部を有しているので、給油口のネジ部に給油キャップを１ピッチずれて斜めに締め付けようとしても、給油キャップのネジ部内面入口部のテーパ部と次のネジ山との接触となり、このテーパ部ですべってしまい斜めに締め付けることができないようになり、さらにネジピッチが数ピッチずらして締め付けようとしても同様にテーパ部ですべってしまい斜めに締め付けることができないようになる。
【００５３】
そしてまた、給油キャップのネジ部内面入口部の緩やかに広がるテーパ部は、給油口のネジ部に給油キャップを締め付ける際に、ガイドの役目を果たし、給油口のネジ部に給油キャップを真っ直ぐ入れやすくなり、締め付け易くなり、給油キャップがむりやり給油口に斜めに取り付けられるという事態を回避することができ、確実に給油キャップの締め付け状態を閉塞位置以上に確保することができ、給油キャップの締め付け不足を解消し、給油キャップの外れやシール不完全による液漏れを防止して、一度にタンク本体の液体が流出するというトラブルや油受け皿側でオーバーフローを起こすというトラブルをなくすことができる。
【００５４】
また、請求項２のカートリッジタンクによれば、請求項１と同様の効果が得られ、給油口のネジ部の先端にストレート部分を有しているので、そのストレート部分がガイドとなり給油口のネジ部に給油キャップを１ピッチずらして斜めに傾けて締め付けられなくなる。また、給油口のネジ部の先端のストレート部分は、給油口のネジ部に給油キャップを締め付ける際に、ガイドの役目を果たし、請求項１と同様に給油口のネジ部に給油キャップを真っ直ぐ入れやすくなり、締め付け易くなり、給油キャップがむりやり給油口に斜めに取り付けられるという事態を回避することができ、確実に給油キャップの締め付け状態を閉塞位置以上に確保することができ、給油キャップ締め付け不完全による給油キャップの外れや液漏れを防止して、一度にタンク本体の油が流出するというトラブルや油受け皿側でオーバーフローを起こすというトラブルをなくすことができる。
【００５５】
また、請求項３のカートリッジタンクによれば、給油キャップと給油キャップ回動手段との間に或いは給油キャップ回動手段の一部に空間を設けてあるので、燃料の油面に近い位置にある給油キャップの面が何らかの理由で濡れ、それが給油の際の給油キャップを上にして使用者が給油キャップを外すあるいは装着するときに、給油キャップからたれて、使用者の手に付着しようとするが、給油キャップ回動手段が縁切りされていて、これを使用者が持って回すので、使用者の手の手の触れる部分は油の付着も極めて少ないものとなり、回すときに油分により手が滑るという状態も軽減でき、作業性が極めて向上するものである。
【００５６】
また、請求項４のカートリッジタンクによれば、請求項３の効果に加え、給油キャップからたれてくる燃料が多く給油キャップと給油キャップ回動手段との間或いは給油キャップ回動手段の一部に設けた空間からあふれるような場合においても、空間下部に設けたバイパス通路を介して、燃料が抜けていくのでより効果的であり、また、カートリッジタンク単体で給油口を上にして保管された場合においても、何らかのゴミや液体が溜まろうとしても、空間下部に設けたバイパス通路を介して抜けていくようになり、さほど溜まらないようになる。
【００５７】
また、請求項５のカートリッジタンクによれば、給油キャップ回動手段の外径を大きくしているため、給油キャップを給油口に傾斜して取り付けたとき、給油キャップ回動手段の下面がタンク本体に接触して、給油キャップと給油口ネジ部が螺合できなく、不適正な装着をより確実に防止できる。
【００５８】
また、請求項６のカートリッジタンクによれば、給油キャップ回動手段の下面には凸部を設けているため、給油キャップを給油口に傾斜して取り付けたとき、下面凸部に接触して、給油キャップと給油口ネジ部が螺合できなく、不適正な装着を防止できる。
【図面の簡単な説明】
【図１】  本発明の実施例１のカートリッジタンクの構成図
【図２】  同カートリッジタンクの給油キャップの要部断面図
【図３】  同カートリッジタンクの機器への設置状態を示す要部断面図
【図４】  （ａ）同カートリッジタンクの給油キャップの締付状態を示す要部断面図
（ｂ）同カートリッジタンクの給油キャップの締付状態を示す要部断面図
（ｃ）同カートリッジタンクの給油キャップの締付状態を示す要部断面図
【図５】  本発明の実施例２のカートリッジタンクの給油口の要部断面図
【図６】  （ａ）同カートリッジタンクの給油キャップの締付状態を示す要部断面図
（ｂ）同カートリッジタンクの給油キャップの締付状態を示す要部断面図
（ｃ）同カートリッジタンクの給油キャップの締付状態を示す要部断面図
【図７】  本発明の実施例３のカートリッジタンクの構成図
【図８】  本発明の実施例４のカートリッジタンクの構成図
【図９】  従来のカートリッジタンクの構成図
【図１０】  同カートリッジタンクの機器への設置操作を示す図
【図１１】  同カートリッジタンクの機器への設置状態を示す要部断面図
【図１２】  同カートリッジタンクの給油キャップ取り外し操作を示す図
【符号の説明】
１１  タンク本体
１３，３１  給油口
１３ａ，３１ａ  給油口のネジ部
３１ｂ  給油口のストレート部
１４，３２  給油キャップ
１４ａ，３２ａ  給油キャップのネジ部
１４ｂ  給油キャップのテーパ部
１７，３３，３６，３７  給油キャップ回動手段
１８  空間
３５  バイパス通路
３８  凸部
【図１】
0004092814.tif 000002
【図２】
0004092814.tif 000003
【図３】
0004092814.tif 000004
【図４】
0004092814.tif 000005
【図５】
0004092814.tif 000006
【図６】
0004092814.tif 000007
【図７】
0004092814.tif 000008
【図８】
0004092814.tif 000009
【図９】
0004092814.tif 000010
【図１０】
0004092814.tif 000011
【図１１】
0004092814.tif 000012
【図１２】
0004092814.tif 000013